(57)【特許請求の範囲】
【請求項１】
一対の垂直コード（１０ａ、１０ｂ）と、一対の垂直コードを連結する複数の中段コード（１０ｃ）と、から成る梯子状の形状を有する横型ブラインドのラダーコードの製造方法において、
緊張状態を保持しつつラダーコード（１０）を熱加工装置（２４）に送り込むステップと、
一対の垂直コードにおいて上下に隣り合う中段コードの間隔が同一となるように熱加工装置でラダーコードを加熱成形するステップと、
加熱成形されたラダーコードを熱加工装置から引き出すステップと、
熱加工装置から引き出されたラダーコードの一対の垂直コードのうちの少なくとも一方の垂直コードを押圧するステップと、
少なくとも一方の垂直コードが押圧されたラダーコードを冷却するステップと、を備え、
前記押圧により垂直コードに付与される張力を調整することにより、各垂直コードにおける上下に隣り合う中段コードの間隔が異なるラダーコードと、各垂直コードにおける上下に隣り合う中段コードの間隔が同一となるラダーコードのうちのいずれかを製造可能であることを特徴とする横型ブラインドのラダーコード製造方法。
【請求項２】
前記垂直コードに付与される張力は、垂直コードに対して直交する方向に垂直コードを押圧する押圧面（３８ａ、４０ａ）が垂直コードを押し出す距離によって決定されることを特徴とする請求項１記載の横型ブラインドのラダーコード製造方法。
【請求項３】
一対の垂直コード（１０ａ、１０ｂ）と、一対の垂直コードを連結する複数の中段コード（１０ｃ）と、から成る梯子状の形状を有する横型ブラインドのラダーコードの製造装置において、
ラダーコードが送り込まれて各垂直コードにおける上下に隣り合う中段コードの間隔を等しくした状態でラダーコードの加熱成形を行う熱加工装置（２４）と、
熱加工装置で加熱成形した直後のラダーコードの垂直コードを押圧可能となった押圧装置（２８）と、
を備え、押圧装置（２８）は、一対の垂直コードに対して異なる張力を付与可能であり、各垂直コードに対して直交する方向から接離可能に直線的に移動して垂直コードを押圧可能となった押圧面（３８ａ、４０ａ）を端部に有する長尺の押圧部材（３８，４０）を備えることを特徴とする横型ブラインドのラダーコード製造装置。
【請求項４】
前記押圧装置の下流には、ラダーコードが巻き掛けられて、ラダーコードの冷却を行うローラ（２６）を備えることを特徴とする請求項３記載の横型ブラインドのラダーコードの製造装置。
【発明の詳細な説明】
【技術分野】
【０００１】
本発明は、一対の垂直コードと中段コードとから成るラダーコードに対して、各垂直コードにおける上下に隣り合う中段コードの間隔を適宜調整することができる横型ブラインドのラダーコード製造方法及び製造装置に関する。
【背景技術】
【０００２】
従来、横型ブラインドのラダーコードを製造するにあたり、熱加工装置を用いてラダーコードを加熱成形することが一般的に行われている。この熱加工装置では、梯子状となったラダーコードの一対の垂直コードに等しい張力を印加しながら移動させて加熱しており、それを熱加工装置から引き出すことによって、中段コードが左右等ピッチとなったラダーコードを製造するようにしている。
【０００３】
また、中段コードが左右等ピッチではなく、左右で異なるピッチにするための製造方法としては、特許文献１に記載される製造方法が知られている。
【０００４】
この特許文献１に示されるラダーコード製造方法では、ラダーコードを１００℃前後の温度で加熱する第一の加熱炉と、第一の加熱炉内で回転してラダーコードを案内する加工用歯型と、加工用歯型に設けられラダーコードの各縦糸（垂直コード）をそれぞれ案内する同一周長の外周面と、を備えた第一の熱セット装置と、第一の加熱炉より高温の２００℃前後の温度で加熱する第二の加熱炉と、第二の加熱炉内で回転してラダーコードを案内する加工用溝型と、加工用溝型の外周面に周方向に設けられてラダーコードの各縦糸の横糸（中段コード）ピッチを異なるピッチに成形する溝と、を備えた第二の熱セット装置と、を用いて製造を行っている。
【０００５】
この方法では、まずラダーコードを第一の加熱炉内に導入し、第一の加熱炉内で加工用歯形によって案内しながら加熱し、横糸のピッチ間隔が所定の寸法に収縮するように成形する。この段階では、加工用歯形の外周面が同一径であるので、各縦糸における横糸のピッチは同一のピッチに形成される。
【０００６】
次に、第一の熱セット装置で同一ピッチに形成したラダーコードを第二の加熱炉内に導入し、第二の加熱炉内でラダーコードの一方の縦糸を外周面に掛装し、他方の縦糸を溝内に掛装した状態で加工用溝型の回転に伴って移動させながら各縦糸における横糸ピッチを異なるピッチに形成して、横糸ピッチのピッチ差が異なるラダーコードを成形する。
【先行技術文献】
【特許文献】
【０００７】
【特許文献１】特開２０１２−２１３３４号公報
【発明の概要】
【発明が解決しようとする課題】
【０００８】
しかしながら、従来の製造方法において、一対の垂直コードに等しい張力を印加することで、理論的には対称的なラダーコードとすることができるはずであるが、実際には、微妙な張力の差、編みの具合、加熱炉における温度むら等様々な要因によって、中段コードの左右ピッチ差が発生してしまう場合がある。
【０００９】
また、特許文献１のように意図的に左右ピッチ差をつける場合には、ラダーコードの各垂直コードにおいて中段コードのピッチを同一ピッチに加熱成形する第一の熱セット装置と、第一の熱セット装置で加熱成形されたラダーコードの各垂直コードにおいて中段コードのピッチを異なるピッチに加熱成形する第二の熱セット装置という２つの熱セット装置が必要であるため、製造装置として大がかりなものとなり、装置を設置するためのスペースも大きくなるという問題が生じる。
【００１０】
また、ラダーコードとして安定した形状に加工するためには、２００℃前後の温度にて加熱成形する必要があるが、２００℃前後の炉内温度を有するのは第二の熱セット装置の第二の加熱炉だけであり、第二の熱セット装置では各垂直コードにおいて中段コードを異なるピッチに成形することしかできず、同一ピッチには成形することができないので、同一の工程で、各縦糸における横糸のピッチが同一のラダーコードと異なるラダーコードの両方を製造することができない。
【００１１】
本発明はかかる課題に鑑みなされたもので、一つの熱加工装置を用い、同一の工程で、一対の垂直コードにおける中段コードのピッチを適宜調整することができる横型ブラインドのラダーコード製造方法及び製造装置を提供することをその目的とする。
【課題を解決するための手段】
【００１２】
前述した目的を達成するために、本発明は、一対の垂直コードと、一対の垂直コードを連結する複数の中段コードと、から成る梯子状の形状を有する横型ブラインドのラダーコードの製造方法において、
緊張状態を保持しつつラダーコードを熱加工装置に送り込むステップと、
一対の垂直コードにおいて上下に隣り合う中段コードの間隔が同一となるように熱加工装置でラダーコードを加熱成形するステップと、
加熱成形されたラダーコードを熱加工装置から引き出すステップと、
熱加工装置から引き出されたラダーコードの一対の垂直コードのうちの少なくとも一方の垂直コードを押圧するステップと、を備え、
前記押圧により垂直コードに付与される張力を調整することにより、各垂直コードにおける上下に隣り合う中段コードの間隔が異なるラダーコードと、各垂直コードにおける上下に隣り合う中段コードの間隔が同一となるラダーコードのうちのいずれかを製造可能であることを特徴とする。
【００１３】
また、前記垂直コードに付与される張力は、垂直コードに対して直交する方向に垂直コードを押圧する押圧面が垂直コードを押し出す距離によって決定されることを特徴とする。
【００１４】
また、本発明は、一対の垂直コードと、一対の垂直コードを連結する複数の中段コードと、から成る梯子状の形状を有する横型ブラインドのラダーコードの製造装置において、
ラダーコードが送り込まれて各垂直コードにおける上下に隣り合う中段コードの間隔を等しくした状態でラダーコードの加熱成形を行う熱加工装置と、
熱加工装置で加熱成形した直後のラダーコードの垂直コードを押圧可能となった押圧装置と、
を備え、押圧装置は、一対の垂直コードに対して異なる張力を付与可能であることを特徴とする。
【００１５】
また、前記押圧装置は、各垂直コードに対して直交する方向から接離可能に直線的に移動して垂直コードを押圧可能となった押圧面を有する押圧部材を備えることを特徴とする。
【００１６】
また、前記押圧装置の下流には、ラダーコードが巻き掛けられて、ラダーコードの冷却を行うローラを備えることを特徴とする。
【発明の効果】
【００１７】
本発明によれば、加熱成形されたラダーコードの一対の垂直コードのうちの少なくとも一方の垂直コードを押圧することで、加熱された垂直コードに張力を付与して垂直コードを伸ばし、各垂直コードにおける上下に隣り合う中段コードの間隔を適宜調整することができる。従って、各垂直コードにおける上下に隣り合う中段コードの間隔が異なるラダーコードと、各垂直コードにおける上下に隣り合う中段コードの間隔が同一となるラダーコードのうちのいずれかを適宜選択して製造することができる。
【００１８】
様々なタイプのラダーコードを同一の工程によりまたは同一の製造装置で製造することができるため、装置全体を小規模なものとすることができ、設置スペースを小さくすることができる。
【００１９】
押圧面が垂直コードを押し出す距離を変化させることで、各垂直コードにおける上下に隣り合う中段コードの間隔を様々に調整することができる。
【図面の簡単な説明】
【００２０】
【図１】本発明に係る製造方法でラダーコードを製造している状態を示す製造装置の模式図である。
【図２】熱加工装置の出口付近から引出ローラまでの間の状態を表し、（ａ）は正面断面図、（ｂ）は側断面図である。
【図３】（ａ）は押圧装置を表す平面図、（ｂ）はそのラダーコード押圧状態の平面図である。
【図４】熱加工装置の出口付近から引出ローラまでの間の状態を示す側断面図であり、（ａ）は一対の垂直コードにおける上下に隣り合う中段コードの間隔がそれぞれ同一となるラダーコードを製造しているときの状態を示し、（ｂ）は一対の垂直コードにおける上下に隣り合う中段コードの間隔が異なるラダーコードを製造しているときの状態を示す。
【図５】（ａ−１）は一対の垂直コードにおける上下に隣り合う中段コードの間隔がそれぞれ同一となるラダーコードを用いたブラインドの側面図、（ａ−２）は（ａ−１）のラダーコードの一部分を示す側面図、（ｂ−１）は一対の垂直コードにおける上下に隣り合う中段コードの間隔がそれぞれ異なるラダーコードを用いたブラインドの側面図、（ｂ−２）は（ｂ−１）のラダーコードの一部分を示す側面図である。
【図６】本発明に係る製造方法で製造したラダーコードを用いた横型ブラインドを窓に取付けた際の状態を示すイメージ図である。
【発明を実施するための形態】
【００２１】
以下、図面を用いて本発明の実施形態を説明する。
【００２２】
本発明に係る製造方法によって製造したラダーコード１０を用いた横型ブラインドを図５に示す。ラダーコード１０は、一対の垂直コード１０ａ、１０ｂと、一対の垂直コード１０ａ、１０ｂを連結する複数の中段コード１０ｃと、から成る梯子状の形状を有しており、一対の垂直コード１０ａ、１０ｂの上端はヘッドボックス１２内に配設される図示していない回転ドラムに巻取及び巻解き可能に連結されている。また、一対の垂直コード１０ａ、１０ｂの下端はボトムレール１４に連結されており、複数の中段コード１０ｃにはスラット１６がそれぞれ載置されている。ラダーコード１０は、図５（ａ−１）、（ａ−２）に示すように、上下に隣り合う中段コード１０ｃの間隔を一対の垂直コード１０ａ、１０ｂのどちらにおいても同じに構成したり、（ｂ−１）、（ｂ−２）に示すように、上下に隣り合う中段コード１０ｃの間隔を各垂直コード１０ａ、１０ｂごとに異なるように構成したりされる。また、回転ドラムと同軸の昇降ドラムには昇降コード１８の上端が巻取り及び巻解き可能に連結されており、昇降コード１８の下端はスラット１６列を挿通してボトムレール１４の下端に連結されている。昇降コード１８が昇降ドラムに巻取られることにより、スラット１６列が上昇し、巻解かれることによりスラット１６列が下降する。
【００２３】
本発明に係る製造方法によってラダーコード１０を製造する製造装置２０はラダーコードの加熱成形等の処理を行う装置であって、図１ないし図４に示すように、加熱前のラダーコードが巻き付かれたリール１９から引き出されたラダーコードに張力を付与するテンションローラ２１と、加熱前のラダーコード１０を搬送する搬入ローラ２２、２２と、ラダーコード１０を加熱成形する熱加工装置２４と、熱加工装置２４からラダーコード１０を上方へと引き出す引出ローラ２６と、熱加工装置２４と引出ローラ２６との間にあって、熱加工装置２４の外部に導出されたラダーコード１０を押圧する押圧装置２８と、引出ローラ２６によって引き出されたラダーコード１０を収納部３０に搬送する搬送ローラ３２と、を備える。
【００２４】
搬入ローラ２２は、その外周面において、中央部にラダーコード１０の中段コード１０ｃに係合する送り歯２２ａと、送り歯２２ａの両側にあり一対の垂直コード１０ａ、１０ｂをそれぞれ案内する案内部２２ｂとを備えている。送り歯２２ａは等間隔に多数形成されており、送り歯２２ａの両側の案内部２２ｂの外径寸法はそれぞれ同一である。
【００２５】
熱加工装置２４は、ヒータ３５が設けられた加熱炉３３と、加熱炉３３内で回転可能に支持された加工用ローラ３４と、コントローラとを備える。加熱炉３３は、その内部を一定の温度に制御可能となっている。加工用ローラ３４は、加熱炉３３内にラダーコード１０を引き入れるとともに、ラダーコード１０を周回させて、加熱炉３３外にラダーコード１０を送り出すもので、その外周面において、中央部にラダーコード１０の中段コード１０ｃに係合する送り歯３４ａと、送り歯３４ａの両側にあり一対の垂直コード１０ａ、１０ｂを案内する案内部３４ｂとを備えている。送り歯３４ａは等間隔に多数形成されており、両側の案内部３４ｂの外径寸法は同一である。
【００２６】
引出ローラ２６は、熱加工装置２４の出口開口２４ａの上方に配設されており、引出ローラ２６は、その外周面において、中央部にラダーコード１０の中段コード１０ｃに係合する送り歯２６ａと、送り歯２６ａの両側にあり一対の垂直コード１０ａ、１０ｂをそれぞれ案内する案内部２６ｂとを備えている。送り歯２６ａは等間隔に多数形成されており、両側の案内部２６ｂの外径寸法は同一である。引出ローラ２６は、これにラダーコード１０が巻き掛けられることにより、熱加工装置２４により加熱されたラダーコード１０を急冷する機能も有している。
【００２７】
押圧装置２８は、図２及び図３に示すように、熱加工装置２４の上部外側の出口開口２４ａの近傍に取り付けられている。押圧装置２８は、熱加工装置２４の出口開口２４ａから引出ローラ２６に導かれる一対の垂直コード１０ａ、１０ｂが通過する位置と対応して配設される一対の押圧棒３８、４０と、熱加工装置２４の加熱炉３３の外面に固定されるとともに、押圧棒３８、４０が夫々挿通する基部４２と、押圧棒３８、４０を基部４２に対して移動可能な状態と移動不可能な状態とに切替え可能なネジ４４、４６と、を有する。押圧棒３８、４０は、それぞれ別々に直線的に移動可能であり、先端には凹状の形状を有する押圧面３８ａ、４０ａが形成される。押圧棒３８、４０はそれぞれ垂直コード１０ａ、１０ｂに向かって垂直コードと直交する方向に前進することにより、押圧面３８ａ、４０ａが一対の垂直コード１０ａ、１０ｂをそれぞれ押圧可能であり、後退することにより、押圧面３８ａ、４０ａが一対の垂直コード１０ａ、１０ｂから離隔可能である。さらに、ラダーコードを隔てた押圧面３８ａ、４０ａと対向する側にはガイド部４８が設けられ、押圧面３８ａ、４０ａによって押圧された垂直コード１０ａ、１０ｂが押圧方向へ所定量以上移動することを規制している。押圧面３８ａ、４０ａが一対の垂直コード１０ａ、１０ｂを押圧する力は、押圧棒３８、４０が前進する位置、即ち、垂直コードを押し出す距離によって決まる。押圧棒３８、４０がより前進して、一対の垂直コード１０ａ、１０ｂを押し出す距離が大きくなるほど、押圧力が大きくなり、垂直コード１０ａ、１０ｂが大きく伸長することになる。押圧面３８ａ、４０ａが垂直コード１０ａ、１０ｂを押圧する際には、垂直コード１０ａ、１０ｂが押圧面３８ａ、４０ａの窪んだ部分に位置し、押圧面３８ａ、４０ａから容易に脱落しないようになっている。押圧面３８ａ、４０ａによって押圧された垂直コードは、ガイド部４８によって蛇行状に案内され、ラダーコードに張力が付与されるようになっている。
【００２８】
次に、以上の製造装置２０を用いてラダーコード１０を製造する手順を説明する。
【００２９】
まず、ラダーコード１０は、ポリエチレン繊維、ポリエステル繊維等の合成繊維からなる撚糸を編み機によって編んでおき、リール１９に巻き取っておく。編む際は、一対の垂直コード１０ａ、１０ｂにおける上下に隣り合う中段コード１０ｃの間隔が同一となるように梯子状に編まれる。任意には、撚糸の本数、または撚糸を構成するフィラメントの本数を垂直コード１０ａ、１０ｂとで異なるようにしてもよい。例えば、一対の垂直コード１０ａ、１０ｂにおける中段コード１０ｃのピッチを異ならしめる場合に、ピッチを大きくする方の垂直コードを構成する撚糸の本数または撚糸を構成するフィラメントの本数を他方よりも少なくすることで、後述の押圧装置による伸びを効果的に行わせることができる。
【００３０】
このようにラダーコード１０をあらかじめ準備した後、ラダーコード１０が巻き取られたリール１９を製造装置２０にセットし、リール１９からラダーコード１０を引き出して、テンションローラ２１によって張力を付与して、搬入ローラ２２、２２を介して熱加工装置２４の加熱炉３３内に供給する。
【００３１】
熱加工装置２４の加熱炉３３内では、ラダーコード１０の中段コード１０ｃが加工用ローラ３４の送り歯３４ａに係合され、一対の垂直コード１０ａ、１０ｂが両側の案内部３４ｂにそれぞれ案内されるようにして、加工用ローラ３４の外周に巻き掛けられて、周回される。ラダーコード１０は、加工用ローラ３４の回転により搬入ローラ２２から熱加工装置２４の加熱炉３３内に緊張状態を保持しつつ送り込まれ、加熱炉３３内で加工用ローラ３４に案内されながら２００℃前後の温度で加熱成形され、そして熱加工装置２４の出口開口２４ａから導出される。熱加工装置２４での加熱成形では、中段コード１０ｃのピッチは各垂直コード１０ａ、１０ｂのどちらにおいても誤差を除き基本的に同一になるように企図される。
【００３２】
熱加工装置２４の出口開口２４ａから導出されるラダーコード１０は引出ローラ２６に巻き掛けられており、引出ローラ２６の回転によって緊張状態を保持しつつ引き出されるが、ラダーコード１０が出口開口２４ａから導出された直後に、必要に応じて押圧装置２８による押圧を受ける。
【００３３】
例えば、図５（ａ−１）、（ａ−２）に示すような一対の垂直コード１０ａ、１０ｂにおける上下に隣り合う中段コード１０ｃの間隔を同一にしたラダーコード１０を製造する場合、熱加工装置２４で同一ピッチの加熱成形が行われているために、図４（ａ）に示すように押圧装置２８による押圧は基本的に不要である。
【００３４】
しかしながら、様々な要因により誤差が発生してピッチ差が発生していることがあるために、その場合には、図３及び図４（ｂ）に示すように、ピッチが小さい方の垂直コードに対応する押圧棒を前進させ、他方の押圧棒を後退させて、それぞれネジ４４、４６で固定する。これによって、ピッチが小さい方の垂直コードは、まだ冷却されないうちに、押圧棒の押圧面によって水平方向に押圧され、張力が付与されることにより伸長することとなる。こうして、一方の垂直コード１０ａにおける中段コード１０ｃのピッチを他方の垂直コード１０ｂにおける中段コード１０ｃのピッチと等しくなるようにする。この押圧棒の押圧面の位置を微調整することで、ピッチの左右差を可能なかぎり０に近づけることができる。または両方の垂直コード１０ａ、１０ｂを伸長させて可能なかぎり設定ピッチに近づけることも可能である。
【００３５】
他方、例えば、図５（ｂ−１）、（ｂ−２）に示すような一対の垂直コード１０ａ、１０ｂにおける上下に隣り合う中段コード１０ｃの間隔が意図的に異なるラダーコード１０を製造する場合、図３及び図４（ｂ）に示すように、あらかじめ、押圧装置２８の一対の押圧棒３８、４０の内、中段コード１０ｃのピッチを大きくしたい方の垂直コード１０ａに対応する押圧棒３８を前進させ、他方の押圧棒４０を後退させて、それぞれネジ４４、４６で固定しておく。
【００３６】
これによって、一方の垂直コード１０ａは、まだ冷却されないうちに、押圧棒３８の押圧面３８ａによって水平方向に押圧され、張力が付与されることにより伸長することとなる。こうして、一方の垂直コード１０ａにおける中段コード１０ｃのピッチを他方の垂直コード１０ｂにおける中段コード１０ｃのピッチよりも大きくすることができる。この押圧面３８ａが垂直コードを押し出す距離を変化させることで、一対の垂直コード１０ａ、１０ｂにおける上下の中段コードの間隔を様々に調整できる。例えば、押圧面３８ａが一方の垂直コード１０ａを押し出す距離をさらに大きくすると、垂直コード１０ａへの押圧力が大きくなるため、一方の垂直コード１０ａにおける中段コード１０ｃのピッチを他方の垂直コード１０ｂの中段コード１０ｃのピッチと比べてさらに大きくすることができる。
【００３７】
以上のようにピッチが調整されたラダーコード１０は、引出ローラ２６に巻き掛けられることにより、引出ローラ２６によって冷却され、形状が安定化されることになる。引出ローラ２６に案内されたラダーコード１０は、搬送ローラ３２を介して収納部３０に収納される。
【００３８】
このようにして、図５（ａ―２）に示すような、一方の垂直コード１０ａにおける上下に隣り合う中段コード１０ｃの間隔がａで、他方の垂直コード１０ｂにおける上下に隣り合う中段コード１０ｃの間隔がａの、ピッチの等しいラダーコード１０が製造され、または、図５（ｂ−２）に示すような、一方の垂直コード１０ａにおける上下に隣り合う中段コード１０ｃの間隔がｂで、他方の垂直コード１０ｂにおける上下に隣り合う中段コード１０ｃの間隔がｂより小さいａの、ピッチの異なるラダーコード１０が製造される。
【００３９】
図５（ｂ−２）に示したラダーコード１０を用いてブラインドを構成すると、図５（ｂ−１）に示すように、上部から下部へ行くほどスラットの傾斜が大きくなった横型ブラインドが構成される。この横型ブラインドを、図６に示すように、窓枠５０に設置すると、窓５１を通過して室内５２に入射した太陽光がスラット１６に反射し、上部のスラット１６群に反射した太陽光ほど室奥の天井５４に向かい、下部のスラット１６群に反射した太陽光ほど窓際の天井５４に向かうようになる。これにより、居住者に直接横型ブラインドからの反射光が当たらない上、その反射光が天井に当たった上で室内を照らす間接光となるため、眩しくなく、しかも柔らかい光で室内を窓際から室奥まで均一に照らすことができる。
【００４０】
本実施の形態によれば、左右で様々なピッチの関係となったラダーコードを同一の製造装置２０で、ほとんど同じ工程で製造することができるために、装置全体を小規模なものとすることができ、設置スペースを小さくすることができる。
【００４１】
また、押圧装置２８の押圧棒３８、４０による押圧力は、押圧棒３８、４０の押圧面３８ａ、４０ａの直線状に押し出される距離で決まるので、調整が簡単であり、分かりやすいものとすることができる。
【００４２】
尚、以上の実施形態では、押圧棒３８、４０の調整を手動で簡単に行うことができるものとして説明したが、これに限るものではなく、押圧棒３８、４０を自動的に調整することも可能である。例えば、引出ローラ２６の下流に、ラダーコードの各垂直コードにおける中段コードのピッチを測定する測定器を設けコントローラに接続し、コントローラに接続されたアクチュエータを押圧棒に連結し、測定器によって、各垂直コードにおける中段コードのピッチを求め、コントローラで左右のピッチ差と設定ピッチ差とを比較し、その比較結果に応じて、アクチュエータによって押圧棒を自動的に前進または後退させる構成とすることも可能である。
【符号の説明】
【００４３】
１０  ラダーコード
１０ａ、１０ｂ  垂直コード
１０ｃ  中段コード
２０  製造装置
２４  熱加工装置
２６  引出ローラ
２８  押圧装置
３８、４０  押圧棒
３８ａ、４０ａ  押圧面
【図１】
0005991854.tif 000002
【図２】
0005991854.tif 000003
【図３】
0005991854.tif 000004
【図４】
0005991854.tif 000005
【図５】
0005991854.tif 000006
【図６】
0005991854.tif 000007